(57)【要約】【課題】移動体通信網との通信中であっても、近距離無線通信機能を正常に動作させることを可能とする。【解決手段】所定の無線周波数の送信信号が高周波用アンテナ３１から放射されている通信時に、近距離無線通信部４０の動作開始が動作状態検出部４３により検出されると、制御部３９は、周波数設定部３７を制御して高周波アンテナ３１からの電波の送信を停止させる。これにより、自動改札機に内蔵された非接触型ＩＣカードリーダ／ライタ２１のアンテナ２２と、近距離無線通信部４０内の非接触型ＩＣカード４１のアンテナ４２との間の電磁誘導による情報の送受に対し、高周波用アンテナ３１からの送信電力の干渉がなくなる。このため、近距離無線通信部４０は、移動体通信装置１００が通信中であっても、非接触型ＩＣカードのメモリに記憶されている情報の送受や更新動作を正常に完了することができる。【選択図】  図１
2005020158.tif 000002
【特許請求の範囲】
【請求項１】
近距離無線通信機能を有する移動体通信装置であって、
前記近距離無線通信機能の動作状態を検出する検出手段と、
前記近距離無線通信機能の動作開始が前記検出手段により検出されると、移動体通信網との通信を停止させるよう制御する通信制御手段とを備える移動体通信装置。
【請求項２】
請求項１記載の移動体通信装置であって、
前記通信制御手段は、前記近距離無線通信機能の動作開始が前記検出手段により検出されると、前記通信の再開に必要な通信制御情報を記憶部に記憶し、前記近距離無線通信機能の動作停止が前記検出手段により検出されると、前記記憶部に記憶した通信制御情報を用いて前記通信を再開させるものである移動体通信装置。
【請求項３】
請求項２記載の移動体通信装置であって、
前記通信制御手段は、前記近距離無線通信機能の動作停止が前記検出手段により検出されると、前記近距離無線通信機能が正常に動作を完了したか否かを判定し、前記近距離無線通信機能が正常に動作を完了している場合に、前記通信を再開させるものである移動体通信装置。
【請求項４】
請求項１ないし３のいずれか１項記載の移動体通信装置であって、
前記近距離無線通信機能は、非接触型ＩＣカードを利用したものである移動体通信装置。
【発明の詳細な説明】
【０００１】
【発明の属する技術分野】
本発明は、近距離無線通信機能を有する移動体通信装置に関する。
【０００２】
【従来の技術】
従来、ＧＳＭやＰＤＣなどのデジタル方式の無線電話機、アナログ方式の無線電話機、及び無線を送受信する情報端末装置などの移動体通信装置に無線タグなどの非接触型ＩＣカードを搭載し、移動体通信網との通信に加え、近距離での無線通信も行うことが可能なものが提案されている（例えば、特許文献１参照）。
【０００３】
図３は、近距離無線通信機能を備えた従来のＰＤＣ方式の移動体通信装置の概略構成例を示す図である。
移動体通信装置２００は、高周波用アンテナ１と、送信信号又は受信信号を変調及び復調する無線部２と、送信信号又は受信信号をデジタル変調及びデジタル復調するデジタル処理部３と、受話音声や送話音声を処理する音声処理部４と、レシーバ５と、マイク６と、送信周波数を設定する周波数設定部７と、メモリ８と、各部を制御する制御部９と、非接触型ＩＣカード１１と、非接触型ＩＣカード用アンテナ１２とを有している。
【０００４】
移動体通信装置２００は、高周波アンテナ１から電波を送受信することで、移動体通信網と通信を行うことができる。又、移動体通信装置２００の所持者は、移動体通信装置２００を用いて、駅構内の自動改札機などに内蔵された非接触型ＩＣカード用リーダ／ライタ２１のアンテナ２２と通信を行い、非接触ＩＣカードに記憶されている電子マネー情報を更新してもらうことで、自動改札機を通過して駅構内に入れるようになっている。
【０００５】
このように、移動体通信装置に非接触型ＩＣカードを内蔵することで、移動体通信装置の利便性をより向上させることが可能になる。
【０００６】
【特許文献１】
特許第２９６５００７号公報
【０００７】
【発明が解決しようとする課題】
しかしながら、従来の移動体通信装置は、移動体通信網との通信中に高周波用アンテナ１より送信電力を発生しているため、非接触型ＩＣカードに記憶されている電子マネー情報の更新動作が行われる際、この送信電力による干渉で電子マネー情報の読み込みや更新が正確に行われなくなってしまう。これにより、非接触型ＩＣカードに電子マネー情報が充分に記憶されているのにもかかわらず、所持者が自動改札機を通過できなくなるなどといった不具合が生じる。又、電子マネー情報が破壊されてしまうといった恐れもある。
【０００８】
本発明は、上記従来の事情に鑑みて為されたものであり、移動体通信網との通信中であっても、近距離無線通信機能を正常に動作させることが可能な移動体通信装置を提供することを目的とする。
【０００９】
【課題を解決するための手段】
本発明の移動体通信装置は、近距離無線通信機能を有する移動体通信装置であって、前記近距離無線通信機能の動作状態を検出する検出手段と、前記近距離無線通信機能の動作開始が前記検出手段により検出されると、移動体通信網との通信を停止させるよう制御する通信制御手段とを備える。
【００１０】
この構成により、近距離無線通信機能が動作しているときは、移動体通信網との通信が停止するため、近距離無線通信機能の動作時に、外部との通信による電波の干渉を無くすことが可能となり、近距離無線通信を良好に行うことができる。
【００１１】
又、本発明の移動体通信装置は、前記通信制御手段が、前記近距離無線通信機能の動作開始が前記検出手段により検出されると、前記通信の再開に必要な通信制御情報を記憶部に記憶し、前記近距離無線通信機能の動作停止が前記検出手段により検出されると、前記記憶部に記憶した通信制御情報を用いて前記通信を再開させるものである。
【００１２】
この構成により、近距離無線通信機能の動作が停止すると、近距離無線通信機能の動作開始時に記憶された通信制御情報に基づいて通信が再開されるため、移動体通信網との通信を維持しながら、近距離無線通信を良好に行うことができる。
【００１３】
又、本発明の移動体通信装置は、前記通信制御手段が、前記近距離無線通信機能の動作停止が前記検出手段により検出されると、前記近距離無線通信機能が正常に動作を完了したか否かを判定し、前記近距離無線通信機能が正常に動作を完了している場合に、前記通信を再開させるものである。
【００１４】
この構成により、近距離無線通信機能の動作にエラーがあり、一旦機能を停止してからすぐに機能を動作させる場合でも、その間は通信の再開が行われないため、動作を効率的に行うことができる。
【００１５】
又、本発明の移動体通信装置は、前記近距離無線通信機能が、非接触型ＩＣカードを利用したものである。
【００１６】
【発明の実施の形態】
以下、本発明の実施形態を説明するための移動体通信装置について図面を用いて説明する。
図１は、本発明の実施形態を説明するための移動体通信装置の概略構成を示す図である。
携帯電話機、ＰＨＳ、及びＰＤＡなどの移動体通信装置１００は、高周波用アンテナ３１と、送信信号や受信信号を変調及び復調する無線部３２と、送信信号や受信信号をデジタル変調及び復調するデジタル処理部３３と、受話音声や送話音声を処理する音声処理部３４と、レシーバ３５と、マイク３６と、高周波アンテナ３１から送信する電波の送信周波数を設定する周波数設定部３７と、記憶部３８と、各部を制御する制御部３９と、近距離無線通信部４０と、近距離無線通信部４０の動作状態を検出する動作状態検出部４３とを備える。
【００１７】
記憶部３８は、ＤＲＡＭ（Ｄｙｎａｍｉｃ  Ｒａｎｄｏｍ  Ａｃｃｅｓｓ  Ｍｅｍｏｒｙ）やＳＲＡＭ（Ｓｔａｔｉｃ  Ｒａｎｄｏｍ  Ａｃｃｅｓｓ  Ｍｅｍｏｒｙ）などのメモリであり、移動体通信網との通信に必要な通信制御情報を制御部３９の制御により記憶する。
【００１８】
近距離無線通信部４０は、無線タグなどの非接触型ＩＣカード４１と、非接触型ＩＣカード用アンテナ４２とを備え、駅構内の自動改札機などに内蔵された非接触型ＩＣカード用リーダ／ライタ２１のアンテナ２２と非接触型ＩＣカード用アンテナ４２との間での電磁誘導により、自動改札機と近距離無線通信を行う。これにより、非接触型ＩＣカード４１のメモリに記憶されている情報の送信や更新などを行うことができる。
【００１９】
動作状態検出部４３は、近距離無線通信部４０の動作開始及び終了などの動作状態を検出し、その検出信号を制御部３９に出力する。
【００２０】
制御部３９は、動作状態検出部４３で検出された近距離無線通信部４０の動作状態に応じて周波数設定部３７を制御し、高周波アンテナ３１からの電波の送受信を停止させたり、再開させたりする。
【００２１】
又、制御部３９は、近距離無線通信部４０の動作が開始したことを示す動作開始検出信号を動作状態検出部４３から受けた際、移動体通信網との通信の再開に必要な通信制御情報（例えば、送信周波数など）を記憶部３８に一時的に記憶し、近距離無線通信部４０の動作が停止したことを示す動作停止検出信号を動作状態検出部４３から受けた際、記憶部３８に記憶した通信制御情報を用いて、移動体通信網との通信を再開するための制御を行う。
【００２２】
次に、移動体通信装置１００の動作について説明する。
図２は、本発明の実施形態を説明するための移動体通信装置の動作を説明するためのフローを示す図である。
移動体通信装置１００が移動体通信網と通信を行う場合には、指定の周波数が制御部３９によって周波数設定部３７に設定されることにより、無線部３２が指定の送信周波数に設定され、設定された周波数の電波が高周波用アンテナ３１から送信される。
【００２３】
移動体通信装置１００の所持者が駅構内の自動改札機を通過する場合には、自動改札機に内蔵されたアンテナ２２と非接触型ＩＣカード用アンテナ４２との間の電磁誘導により、近距離無線通信部４０の動作が開始される（Ｓ１）。動作状態検出部４３は、この動作開始を検出すると、動作開始検出信号を制御部３９に出力する。
【００２４】
動作開始検出信号を受けた制御部３９は、移動体通信装置１００が通信中か否かを判定し（Ｓ２）、通信中でなかった場合（Ｓ２：ＮＯ）、近距離無線通信部４０により近距離無線通信が行われ、所持者が自動改札機を通過可能な状態となる（Ｓ３）。
【００２５】
一方、移動体通信装置１００が通信中であった場合（Ｓ２：ＹＥＳ）、制御部３９は、現在設定している送信周波数や近距離無線通信部４０の動作状態などの通信制御情報を記憶部３８に書き込み（Ｓ４）、その後、周波数設定部３７に電波送信停止命令を出して、高周波用アンテナ３１からの電波の送信を停止させる（Ｓ５）。
【００２６】
高周波用アンテナ３１からの電波の送信が停止されると、高周波用アンテナ３１から出力されていた送信電力もなくなるため、自動改札機に内蔵されたアンテナ２２と非接触型ＩＣカード用アンテナ４２との間の電磁誘導による情報の送受に対して、上記した送信電力の干渉がなくなる。
【００２７】
これにより、自動改札機と移動体通信装置１００との間で情報の送受が正常に行われ、所持者は自動改札機を通過できるようになり、アンテナ２２と非接触型ＩＣカード用アンテナ４２とが離れることにより、近距離無線通信部４０の動作が停止する（Ｓ６）。動作状態検出部４３は、近距離無線通信部４０の動作停止を検出すると、動作停止検出信号を制御部３９に出力する。
【００２８】
動作停止検出信号を受けた制御部３９は、高周波用アンテナ３１に電波の送信を停止させた時点から動作停止検出信号を受ける時点までの時間が所定時間（ＰＤＣ方式では５秒）以内であるかどうかを判定し（Ｓ７）、５秒以内でない場合（Ｓ７：ＮＯ）、ＰＤＣの「ＲＣＲ  ＳＴＤ−２７Ｉ規格」で定められる再同期シーケンスに従い、通信を終了する（Ｓ８）。
【００２９】
一方、上記規格に従い、５秒以内に通信の同期獲得ができれば元の通信に復帰することが可能となるため、上記時間が５秒以内であった場合（Ｓ７：ＹＥＳ）、制御部３９は、近距離無線通信部４０の動作開始時に記憶した通信の再開に必要な通信制御情報を記憶部３８から読み出し、通信周波数を周波数設定部３７に設定すると共に、マイク、レシーバの情報や送信電力情報、音声符号化情報等の通信制御情報をデジタル処理部３３に設定し（Ｓ９）、電波の送受信を再開させる（Ｓ１０）。
【００３０】
以上のように移動体通信装置１００は、移動体通信網と通信している状態で近距離無線通信部４０が起動すると、高周波用アンテナ３１からの電波の送受信を停止する。このため、近距離無線通信部４０の非接触型ＩＣカード４１のメモリに記憶されている情報の読み込みや更新が、高周波用アンテナ３１からの送信電力に影響されることなく行われる。したがって、移動体通信装置１００の所持者は、通話などを行いながら自動改札機を通過しても、不具合なく駅構内に入場することができる。
【００３１】
また、高周波用アンテナ３１からの電波の送受信は停止されるが、移動体通信網との通信は継続したままとすることが可能なため、移動体通信網との通信に対する影響を最小限にして、近距離無線通信部４０の動作を良好に保つことができ、移動体通信装置１００の利便性を向上させることがでできる。
【００３２】
尚、本実施形態では、無線タグなどの非接触型ＩＣカードを用いて近距離無線通信を実現しているが、この他に、赤外線通信、ＦＭ電波通信、微弱電波通信、無線ＬＡＮ、及びＢｌｕｅｔｏｏｔｈなどの通信方式を利用する場合でも、上記と同様の効果が得られる。
【００３３】
又、移動体通信装置１００を自動改札機などに近づけて非接触型ＩＣカード内のメモリの電子マネー情報や入退場履歴情報などを更新する際、所持者の操作の仕方によっては、非接触型ＩＣカード内のメモリの情報が正確に更新されず、エラーが出る場合がある。このため、所持者は自動改札機を通過できなくなり、再度、移動体通信装置１００を自動改札機に近づける必要がある。この場合、近距離無線通信部４０は一旦停止してしまうため通信が再開される。そして、移動体通信装置１００が自動改札機に近づけられると、再び通信が停止され、その後再開されるという動作が繰り返えされる。
【００３４】
これでは、非効率的であるため、制御部３９は、近距離無線通信部４０の動作停止検出信号を受けた際（図２のＳ６）に、その動作が正常に完了したか否かを判定し、動作が正常に完了していた場合にのみ、図２のＳ７以降のステップに移行するようにしても良い。つまり、所持者が、自動改札機を通過できた場合にのみ、通信再開の制御を行うようにする。
【００３５】
正常に動作を完了するとは、自動改札機と近距離無線通信部４０との間で行われる情報の送受が正常に完了することを言い、制御部３９は、動作が正常に完了したことを示す検出信号を近距離無線通信部４０から受けることで、上記判定を行う。
【００３６】
【発明の効果】
本発明によれば、移動体通信網との通信中であっても、近距離無線通信機能を正常に動作させることが可能な移動体通信装置を提供することができる。
【図面の簡単な説明】
【図１】本発明の実施形態を説明するための移動体通信装置の概略構成を示す図
【図２】本発明の実施形態を説明するための移動体通信装置の動作を説明するためのフローを示す図
【図３】近距離無線通信機能を備えた従来のＰＤＣ方式の移動体通信装置の概略構成例を示す図
【符号の説明】
２１  非接触型ＩＣカードリーダ／ライタ
２２  アンテナ
３１  高周波用アンテナ
３２  無線部
３３  デジタル処理部
３４  音声処理部
３５  レシーバ
３６  マイク
３７  周波数設定部
３８  記憶部
３９  制御部
４０  近距離無線通信部
４１  非接触型ＩＣカード用アンテナ
４２  非接触型ＩＣカード
４３  動作状態検出部
【図１】
2005020158.tif 000003
【図２】
2005020158.tif 000004
【図３】
2005020158.tif 000005